(57)【要約】【課題】使用するときにはグリップ部から発光灯部までの全長を長くでき、使用しないときには全長を短くできる携帯用信号灯を提供する。【解決手段】使用するときにはグリップ部２から発光灯部３を引き出して伸張させることにより、グリップ部２から発光灯部３までの全長が長くなり、この伸張状態でグリップ部２に付設された赤外線リモコン送信装置のメインスイッチボタン５Ａを操作することにより、発光灯部３の各発光ダイオード６が点灯して使用可能となる。一方、使用しないときにはグリップ部２内に発光灯部３を押し込んで収縮させることにより、全長が短くなる。【選択図】        図１
2005019013.tif 000002
【特許請求の範囲】
【請求項１】
筒状のグリップ部に対して伸縮自在に嵌合された筒状の発光灯部を備え、この発光灯部には電源用の電池およびこの電池により点灯可能な複数の発光ダイオードが内蔵されており、前記グリップ部には前記発光ダイオードの点灯を制御するための赤外線リモコン送信装置が付設され、前記発光灯部には前記赤外線リモコン送信装置からの制御信号を受信して前記発光ダイオードの点灯を制御する赤外線リモコン受信装置が付設されていることを特徴とする携帯用信号灯。
【請求項２】
筒状のグリップ部に対して伸縮自在に嵌合された筒状または棒状の支持部を備え、この支持部には電源用の電池およびこの電池により点灯可能な複数の発光ダイオードが内蔵された発光灯部が付設されており、前記グリップ部には前記発光ダイオードの点灯を制御するための赤外線リモコン送信装置が付設され、前記発光灯部には前記赤外線リモコン送信装置からの制御信号を受信して前記発光ダイオードの点灯を制御する赤外線リモコン受信装置が付設されていることを特徴とする携帯用信号灯。
【請求項３】
前記発光灯部が前記支持部に着脱自在に装着されていることを特徴とする請求項２に記載の携帯用信号灯。
【請求項４】
前記赤外線リモコン送信装置が前記グリップ部に着脱自在に付設されていることを特徴とする請求項１〜３のいずれか１項に記載の携帯用信号灯。
【発明の詳細な説明】
【０００１】
【発明の属する技術分野】
この発明は、道路工事現場、建設工事現場、駐車場、イベント会場などで交通整理用などに使用される携帯用信号灯に関するものである。
【０００２】
【従来の技術】
道路工事現場、建設現場、駐車場、イベント会場などで交通整理用に使用される携帯用信号灯として、グリップ部に連続する円筒状の発光灯部に複数の発光ダイオードを内蔵したものが従来一般に知られている（例えば特許文献１）。この種の携帯用信号灯では、通常、発光ダイオードの電源となる電池がグリップ部内に収容され、発光ダイオードを点灯させるスイッチが前記グリップ部の外面に臨んで配設されている。そして、前記電池およびスイッチは、グリップ部内から発光灯部内に延びる配線を介して各発光ダイオードに接続されている。
【０００３】
【特許文献１】
特開平０８−１６１６５１号公報
【０００４】
【発明が解決しようとする課題】
ここで、特許文献１に記載の携帯用信号灯を含め、従来一般に知られている携帯用信号灯は、携帯性を考慮して全長が比較的に短く構成されている。しかしながら、このように短い携帯用信号灯を使用して交通整理を行う場合、作業者は、携帯用信号灯の発光灯部が遠くの車両からも良く見えるように車線側に身を乗り出して作業し、あるいは手を高く上げて作業しなければならない。また、手を高く上げてもそれ以上に高い位置に発光灯部を掲げることはできない。
【０００５】
このような事情から、携帯用信号灯を使用する交通整理の作業現場からは、グリップ部から発光灯部までの全長を長くして安全かつ有効に使用でき、しかも携帯性を損なわない携帯用信号灯が要望されている。
【０００６】
このような要望に応えるには、携帯用信号灯を伸縮式に構成することが考えられるが、この場合、グリップ部側のスイッチと発光灯部側の発光ダイオードとが配線で接続されている関係で、簡単に伸縮式に構成することができない。
【０００７】
この発明は、前記の困難性を克服し、使用するときにはグリップ部から発光灯部までの全長を長くでき、使用しないときには全長を短くできる携帯用信号灯を提供することを課題とする。
【０００８】
【課題を解決するための手段】
前記の目的を達成する手段として、第１の発明に係る携帯用信号灯は、筒状のグリップ部に対して伸縮自在に嵌合された筒状の発光灯部を備え、この発光灯部には電源用の電池およびこの電池により点灯可能な複数の発光ダイオードが内蔵されており、前記グリップ部には前記発光ダイオードの点灯を制御するための赤外線リモコン送信装置が付設され、前記発光灯部には前記赤外線リモコン送信装置からの制御信号を受信して前記発光ダイオードの点灯を制御する赤外線リモコン受信装置が付設されていることを特徴とする。
【０００９】
第１の発明に係る携帯用信号灯では、使用するときにはグリップ部から発光灯部を引き出して伸張させることにより、グリップ部から発光灯部までの全長が長くなり、この伸張状態でグリップ部に付設された赤外線リモコン送信装置を操作することにより、発光灯部の各発光ダイオードが点灯して使用可能となる。一方、使用しないときにはグリップ部内に発光灯部を押し込んで収縮させることにより、全長が短くなる。
【００１０】
また、第２の発明に係る携帯用信号灯は、筒状のグリップ部に対して伸縮自在に嵌合された筒状または棒状の支持部を備え、この支持部には電源用の電池およびこの電池により点灯可能な複数の発光ダイオードが内蔵された発光灯部が付設されており、前記グリップ部には前記発光ダイオードの点灯を制御するための赤外線リモコン送信装置が付設され、前記発光灯部には前記赤外線リモコン送信装置からの制御信号を受信して前記発光ダイオードの点灯を制御する赤外線リモコン受信装置が付設されていることを特徴とする。
【００１１】
第２の発明に係る携帯用信号灯では、使用するときにはグリップ部から支持部を引き出して伸張させることにより、グリップ部から支持部に付設された発光灯部までの距離が長くなり、この伸張状態でグリップ部に付設された赤外線リモコン送信装置を操作することにより、発光灯部の各発光ダイオードが点灯して使用可能となる。一方、使用しないときにはグリップ部内に支持部を押し込んで収縮させることで全長が短くなる。
【００１２】
第２の発明に係る携帯用信号灯において、発光灯部が支持部に着脱自在に装着されている場合、使用しないときには支持部から発光灯部を取り外すことにより、支持部がグリップ部内に十分に押し込まれるため、携帯の際の全長がより短くなるので好ましい。
【００１３】
第１及び第２に係る携帯用信号灯において、前記赤外線リモコン送信装置が前記グリップ部に着脱自在に付設されている場合、グリップ部から取り外して操作することにより操作が容易になる。特に、発光灯部が支持部に着脱自在に装着されている場合には、グリップ部から支持部に付設された発光灯部までの距離が長くなるから、赤外線リモコン送信装置をグリップ部から取り外して操作することが有利になる。
【００１４】
【発明の実施の形態】
以下、図面を参照してこの発明に係る携帯用信号灯の実施の形態を説明する。参照する図面において、図１は第１実施形態に係る携帯用信号灯の伸張状態の斜視図、図２は図１に示した携帯用信号灯のストッパ機構の構造を示す部分拡大断面図、図３は図１に示した携帯用信号灯の収縮状態の斜視図である。
【００１５】
図１に示すように、第１実施形態に係る携帯用信号灯１は、２段伸縮式の携帯用信号灯であり、筒状のグリップ部２の内側に伸縮摺動自在に嵌合された筒状の発光灯部３を備えている。
【００１６】
グリップ部２は、発光灯部３を収納して保護するため、適度の強度を有する合成樹脂製または金属製のパイプで構成されており、その基端部の開口はグリップエンド４で塞がれている。そして、このグリップ部２の外周面には、赤外線リモコン送信装置の収納ケース５が付設されている。
【００１７】
一方、発光灯部３は、複数の発光ダイオード６およびその電源としての乾電池７，７を収容した透明な合成樹脂製のパイプで構成されており、その先端部の開口はヘッドキャップ８で塞がれている。
【００１８】
複数の発光ダイオード６は、長板状の２枚の回路基板９，９上にそれぞれ一列に配列されており、各回路基板９，９は、発光ダイオード６を外側に向けた背面合わせ状態で発光灯部３内の先端側３Ａに収容されている。そして、この発光灯部３の先端側３Ａの内面（または外面）には、発光ダイオード６の発色を鮮明にする光拡散フィルム（図示省略）が被覆されている。なお、発光ダイオード６は、通常、赤色に発光するものが使用されるが、青色、緑色、黄色など、他の色に発光するものであってもよい。
【００１９】
また、乾電池７，７は、直列に配列されて発光灯部３内の基端側６Ｂに収容されている。そして、この発光灯部３の基端側３Ｂの内面（または外面）には、銀色や白色などの目隠し用の塗装が乾電池７，７を覆うように施されている。
【００２０】
ここで、収納ケース５内には、図示しないボタン電池を電源とするリモコン送信回路を有する赤外線リモコン送信装置が内蔵されている。そして、収納ケース５の上面には、発光灯部３内の各発光ダイオード６の点灯をオン・オフするためのメインスイッチボタン５Ａと、各発光ダイオード６の点灯状態を連続点灯と点滅点灯とに切り換えるための切換スイッチボタン５Ｂとが配設されている。また、収納ケース５の先端面には赤外線送信窓５Ｃが配設されている。
【００２１】
一方、赤外線受信装置として、発光灯部３の先端のヘッドキャップ８には赤外線受信窓８Ａが設けられ、発光灯部３内の各回路基板９，９上には図示しないリモコン受信回路が構成されている。そして、このリモコン受信回路を介して各発光ダイオード６を点灯するように乾電池７，７と各回路基板９，９とが接続されている。
【００２２】
ここで、発光灯部３をグリップ部２から引き出した伸張位置とグリップ部２内に押し込んだ収縮位置とに保持するため、グリップ部２と発光灯部３との間には、図２に示すストッパ機構１０が構成されている。
【００２３】
ストッパ機構１０は、グリップ部２の先端部および基端部の周面に直線状に配列されて開口する円形の２つのストッパ孔１０Ａ，１０Ａと、この各ストッパ孔１０Ａに内側から嵌入して係止される半球状の１つのストッパ１０Ｂと、このストッパ１０Ｂをストッパ孔１０Ａに嵌入するように付勢するコイルスプリング１０Ｃなどを備えて構成されている。
【００２４】
ストッパ１０Ｂのコイルスプリング１０Ｃ側の基端部には、抜止め用のツバ１０Ｄと、コイルスプリング１０Ｃの位置決め突起１０Ｅとが形成されている。そして、このストッパ１０Ｂのツバ１０Ｅは、発光灯部３の基端部の周面に開口する円形凹部１０Ｆ内にコイルスプリング１０Ｃと共に収容されて摺動自在となっている。
【００２５】
前記ストッパ１０Ｂを抜け止めするため、円形凹部１０Ｆの開口部には、ストッパ孔１０Ａに合致する円形孔の周辺部でストッパ１０Ｂのツバ１０Ｄを係止する係止片１０Ｇが装着されている。この係止片１０Ｇは、発光灯部３の周面と略面一となるようにその周面に嵌め込まれている。
【００２６】
なお、図示省略したが、グリップ部２に対して発光灯部３を真っ直ぐに伸縮摺動させるため、グリップ部２の内面にはガイド溝が形成され、発光灯部３の基端部の外面には前記ガイド溝に案内される突起が設けられている。
【００２７】
以上のように構成された第１実施形態に係る携帯用信号灯１は、道路工事現場や建設工事現場などで交通整理用などに使用される。この使用にあたっては、グリップ部２から発光灯部３を真っ直ぐ引き出して伸張させる。すると、ストッパ機構１０を構成する発光灯部３の基端部のストッパ１０Ｂがグリップ部２の先端部のストッパ孔１０Ａに嵌入し（図２参照）、こうして発光灯部３が伸張位置に保持される（図１参照）。
【００２８】
そこで、グリップ部２側に配置された収納ケース５上のメインスイッチボタン５Ａを操作すると、発光灯部３側の各発光ダイオード６が点灯して発光灯部３の先端側３Ａが赤色に発光する。また、この状態で切換スイッチボタン５Ｂを操作すると、各発光ダイオード６が点滅して発光灯部３の先端側３Ａの赤色発光が点滅する。
【００２９】
このような使用状態において、第１実施形態の携帯用信号灯１では、グリップ部２から発光灯部３までの全長が長くなるため、作業者は車線側に身を乗り出したり、あるいは手を高く上げることなく、発光灯部３を遠くの車両からも良く見える位置に置くことができる。
【００３０】
一方、携帯用信号灯１を使用しないときには、グリップ部２内に発光灯部３を真っ直ぐ押し込んで収縮させる。すると、ストッパ機構１０を構成する発光灯部３の基端部のストッパ１０Ｂがグリップ部２の基端部のストッパ孔１０Ａに嵌入し、こうして発光灯部３が収縮位置に保持される（図３参照）。この収縮状態では、携帯用信号灯１の全長が十分短くなり、携帯性を損なうことがない。
【００３１】
次に、この発明の第２実施形態に係る携帯用信号灯について説明する。なお、第２実施形態の携帯用信号灯の説明において、第１実施形態の携帯用信号灯１と同様の構成部分については、同一の符号を付して詳細な説明は省略する。
【００３２】
図４に示すように、第２実施形態に係る携帯用信号灯２１は、３段伸縮式の携帯用信号灯であり、筒状のグリップ部２に対して伸縮摺動自在に嵌合された筒状の第１支持部２２と、この第１支持部２２に対して伸縮摺動自在に嵌合された筒状の第２支持部２３と、この第２支持部２３に着脱自在に装着される発光灯部２４とを備えて構成されており、第２支持部２３の先端部の開口はヘッドキャップ２５で塞がれている。
【００３３】
第１支持部２２および第２支持部２３は、適度の強度を有する合成樹脂製または金属製のパイプで構成されている。そして、グリップ部２と第１支持部２２と第２支持部２３とは、図２に示したストッパ機構１０と同様のストッパ機構により相互に伸縮摺動自在に嵌合されている。
【００３４】
ここで、発光灯部２４は、前後の支持フレーム２４Ａ，２４Ｂの間の部分が透明な合成樹脂により扁平な筒状に構成されており、全体として扁平なボックス状に構成されている。そして、この発光灯部２４の内部には、それぞれ複数の発光ダイオード６が１列に配列された長板状の２枚の回路基板９，９と、両回路基板９，９に電源として接続される乾電池７，７とが収容されている。
【００３５】
各回路基板９，９は、発光灯部２４内の幅方向の両側において、発光ダイオード６を外側に向けた状態で配置され、乾電池７，７は、各回路基板９，９の背面側に配置されている。そして、この発光灯部２４の支持フレーム２４Ａ，２４Ｂ間の透明な合成樹脂部分の内面（または外面）には、発光ダイオード６の発色を鮮明にする光拡散フィルム（図示省略）が被覆されている。
【００３６】
また、赤外線受信装置として、発光灯部２４の基端側の支持フレーム２４Ｂには赤外線受信窓２４Ｃが設けられ、発光灯部２４内の各回路基板９，９上には図示しないリモコン受信回路が構成されている。そして、このリモコン受信回路を介して各発光ダイオード６を点灯するように乾電池７，７と各回路基板９，９とが接続されている。
【００３７】
ここで、発光灯部２４を第２支持部２３に着脱自在に装着する構造として、ヘッドキャップ２５は第２支持部２３の先端部の開口に着脱自在にねじ込まれる構造とされ、また、前後の支持フレーム２４Ａ，２４Ｂの中央部には、第２支持部２３に着脱自在に嵌合する装着孔２４Ｄ，２４Ｄが形成されている。そして、この装着孔２４Ｄ，２４Ｄの開口部には、第２支持部２３の外周面に弾性的に密着して発光灯部２４の装着状態を保持する弾性保持リング２４Ｅ（一方のみ図示）が固着されている。
【００３８】
以上のように構成された第２実施形態に係る携帯用信号灯２１では、使用に際し、グリップ部２から第１支持部２２および第２支持部２３を順次引き出して伸張させる。すると、ストッパ機構（図２参照）により第１支持部２２および第２支持部２３が伸張状態に保持される。
【００３９】
そこで、第２支持部２３の先端のヘッドキャップ２５を取り外し、第２支持部２３の先端側から発光灯部２４の前後の装着孔２４Ｄ，２４Ｄ嵌合させ、弾性保持リング２４Ｅにより第２支持部２３の長手方向の所定位置に位置決めして発光灯部２４を第２支持部２３に装着する。なお、発光灯部２４の装着後には、第２支持部２３にヘッドキャップ２５を装着しておく。
【００４０】
そして、グリップ部２側に配置された収納ケース５上のメインスイッチボタン５Ａを操作する。すると、発光灯部２４側の各発光ダイオード６が点灯して発光灯部２４の周面が赤色に発光する。また、この状態で切換スイッチボタン５Ｂを操作すると、各発光ダイオード６が点滅して発光灯部２４の周面の赤色発光が点滅する。
【００４１】
このような使用状態において、第２実施形態の携帯用信号灯２１では、グリップ部２から発光灯部２４までの距離が長くなるため、作業者は車線側に身を乗り出したり、あるいは手を高く上げることなく、発光灯部３を遠くの車両からも良く見える位置に置くことができる。
【００４２】
一方、携帯用信号灯２１を使用しないときには、前述した手順と反対の手順により第２支持部２３から発光灯部２４を取り外し、第２支持部２３および第１支持部２２を携帯用信号灯２１内に押し込んで収縮させる。すると、ストッパ機構（図２参照）により第１支持部２２および第２支持部２３が収縮状態に保持される。この収縮状態では、携帯用信号灯２１の全長が十分短くなり、携帯性を損なうことがない。
【００４３】
この発明に係る携帯用信号灯は、前述した各実施形態に限定されるものではない。例えば、図２に示したストッパ機構１０は、特開平０７−００４８９３号公報や特開平０５−２８０８９６号公報に記載されているような機構に変更することができるし、カメラ用の三脚を伸張状態に保持するねじリング式に変更することもできる。
【００４４】
また、第１実施形態の携帯用信号灯１は、第２実施形態の携帯用信号灯２１のように３段伸縮式に構成してもよいし、それ以上の段数の多段伸縮式に構成してもよい。同様に、第２実施形態の携帯用信号灯２１も多段伸縮式に構成することができる。
【００４５】
さらに、第１実施形態の携帯用信号灯１における発光灯部３は、その周面の３面に向けて複数の発光ダイオード６が配列されるようにしてもよい。
【００４６】
また、複数の発光ダイオード６は、赤色と青色のように発光色が異なるものを回路基板９上に交互に配列してもよい。この場合、赤外線リモコン送信装置および受信装置は、例えば切換スイッチボタン５Ｂの操作により赤色の発光ダイオードの点灯と青色の発光ダイオードの点灯とを切り換えるように構成する。
【００４７】
第２実施形態の携帯用信号灯２１における発光灯部２４は、第２支持部２３を挟持する形態の半割り型の２つの部分を止めねじなどの適宜の締結部材で一体に締結する構造に変更してもよい。また、第２実施形態の携帯用信号灯２１における発光灯部２４は、扁平な筒状に形成した場合について説明したが、必ずしも扁平な筒状に限らず円筒状やその他任意の形状とすることができる。円筒状発光灯部とした場合には、第２支持部２３を前記円筒状発光灯部の中心にそうにゅうするように構成してもよい。
【００４８】
さらに、第１実施形態の携帯用信号灯１または第２実施形態の携帯用信号灯２１において、赤外線リモコン送信装置が内蔵された収納ケース５は、図５に示す第１変形例の収納ケース１１に変更することができる。この収納ケース１１は、グリップ部２の周面に沿って湾曲する左右一対の板バネ１２，１２によりグリップ部２に着脱自在に装着されるように構成されている。
【００４９】
また、前記収納ケース５は、図６に示す第２変形例の収納ケース１３に変更することができる。この収納ケース１３は、グリップ部２の周面に沿って湾曲する横長薄型に構成されており、テープ状の面ファスナー１４によってグリップ部２に着脱自在に装着されるように構成されている。
【００５０】
ここで、第１実施形態の携帯用信号灯１において、発光ダイオード６の代わりにシート状の発光素子である有機ＥＬ素子を発光灯部３の内面に添設してもよい。同様に第２実施形態の携帯用信号灯２１においても、発光灯部２４の透明な合成樹脂部分の内面に発光ダイオード６に代わる有機ＥＬ素子を添設してもよい。
【００５１】
【発明の効果】
以上説明したように、第１の発明に係る携帯用信号灯では、使用するときにはグリップ部から発光灯部を引き出して伸張させることにより、グリップ部から発光灯部までの全長を長くなり、この伸張状態でグリップ部に付設された赤外線リモコン送信装置を操作することにより、発光灯部の各発光ダイオードが点灯して使用可能となる。一方、使用しないときにはグリップ部内に発光灯部を押し込んで収縮させることにより、全長が短くなる。従って、第１の発明によれば、使用するときにはグリップ部から発光灯部までの全長を長くして安全に使用でき、使用しないときには全長を短くして携帯することができる。
【００５２】
また、第２の発明に係る携帯用信号灯では、使用するときにはグリップ部から支持部を引き出して伸張させることにより、グリップ部から支持部に付設された発光灯部までの距離が長くなり、この伸張状態でグリップ部に付設された赤外線リモコン送信装置を操作することにより、発光灯部の各発光ダイオードが点灯して使用可能となる。一方、使用しないときにはグリップ部内に支持部を押し込んで収縮させることで全長が短くなる。従って、第２の発明によれば、使用するときにはグリップ部から発光灯部までの全長を長くして安全に使用でき、使用しないときには全長を短くして携帯することができる。
【００５３】
第２の発明に係る携帯用信号灯において、発光灯部が支持部に着脱自在に装着されている場合、使用しないときには支持部から発光灯部を取り外すことにより、支持部がグリップ部内に十分に押し込まれるため、携帯の際の全長をより短くすることができる。
【００５４】
第１及び第２に係る携帯用信号灯において、前記赤外線リモコン送信装置が前記グリップ部に着脱自在に装着されている場合、赤外線リモコン送信装置の操作が容易になる。
【図面の簡単な説明】
【図１】この発明の第１実施形態に係る携帯用信号灯の伸張状態の斜視図である。
【図２】図１に示した携帯用信号灯のストッパ機構の構造を示す部分拡大断面図である。
【図３】図１に示した携帯用信号灯の収縮状態の斜視図である。
【図４】この発明の第２実施形態に係る携帯用信号灯の伸張時の斜視図である。
【図５】図１および図４に示した収納ケースの第１変形例による収納ケースをグリップエンド側から見た図である。
【図６】図１および図４に示した収納ケースの第２変形例による収納ケースをグリップエンド側から見た図である。
【符号の説明】
１  ：携帯用信号灯
２  ：グリップ部
３  ：発光灯部
３Ａ：先端側
３Ｂ：基端側
４  ：グリップエンド
５  ：収納ケース
５Ａ：メインスイッチボタン
５Ｂ：切換スイッチボタン
５Ｃ：赤外線送信窓
６  ：発光ダイオード
７  ：乾電池
８  ：ヘッドキャップ
８Ａ：赤外線受信窓
９  ：回路基板
１０  ：ストッパ機構
１０Ａ：ストッパ孔
１０Ｂ：ストッパ
１０Ｃ：コイルスプリング
１０Ｄ：ツバ
１０Ｅ：位置決め突起
１０Ｆ：円形凹部
１０Ｇ：係止片
１１  ：収納ケース
１２  ：板バネ
１３  ：収納ケース
１４  ：面ファスナー
２１  ：携帯用信号灯
２２  ：第１支持部
２３  ：第２支持部
２４  ：発光灯部
２４Ａ，２４Ｂ：支持フレーム
２４Ｃ：発光灯部
２４Ｄ：装着孔
２４Ｅ：弾性保持リング
【図１】
2005019013.tif 000003
【図２】
2005019013.tif 000004
【図３】
2005019013.tif 000005
【図４】
2005019013.tif 000006
【図５】
2005019013.tif 000007
【図６】
2005019013.tif 000008